(57)【要約】【課題】          低温度下で持ち運びする必要のあるケーキ類などの食品を包装収納する紙箱において、極めて構造簡単にして低コストに提供できる紙箱で、紙箱内の食品を形崩れなど起生させることのなく良好に保冷して食品の品質保持を図る。【解決手段】      生菓子などの食品を収納する紙箱１の上側部内面に一方向にのみ開放状態にシート部材５２の周縁を固着させ、紙箱１の上側部内面とシート部材５２間に保冷体５４を収納保持する保冷体収納部５５を形成させる。【選択図】        図１
2005053539.tif 000002
【特許請求の範囲】
【請求項１】
生菓子などの食品を収納する紙箱の上側部内面に一方向にのみ開放状態にシート部材の周縁を固着させて、紙箱の上側部内面とシート部材間に保冷体を収納保持する保冷体収納部を形成させたこと特徴とする紙箱の保冷体収納構造。
【請求項２】
一方向にのみ開放状態のシート部材の開放部を紙箱の組立時紙箱の折曲部で閉封させたことを特徴とする請求項１記載の紙箱の保冷体収納構造。
【発明の詳細な説明】
【技術分野】
【０００１】
本発明は低温度に保つ必要のあるケーキなど保冷食品を収納する紙箱の保冷体収納構造に関する。
【背景技術】
【０００２】
低温度下で持ち運びする必要のあるケーキなど生菓子類を収納する紙箱にあっては、生菓子類の悪化を防ぐため、アイスパック（水や保冷剤をビニールシートで密封包装したパック状のものを凍らせたもの）やドライアイスなどの保冷体を生菓子類と一緒に紙箱にすることは従来より行われており、紙箱内全体を効率的に冷やす技術として、保冷体を収納する収容ケースを箱内の天井部分に収容保持する技術がある。（例えば特許文献１参照）
【特許文献１】実用新案登録第３０８７１７３号公報
【発明の開示】
【発明が解決しようとする課題】
【０００３】
しかし乍ら、上記の如き紙箱の場合、保冷体を収納する収容ケースを紙箱と別体に必要とするばかりでなく、紙箱にケーキ等収容物の収容時にはその都度収容ケースを取付ける手間の煩らわしさがあり、また収容ケースを取付けた場合その分紙箱内の収容スペースが小さくなるなどして収容ケースで収容物を損傷させるなどの不都合も発生する。
【課題を解決するための手段】
【０００４】
本発明は、生菓子などの食品を収納する紙箱の上側部内面に一方向にのみ開放状態にシート部材の周縁を固着させて、紙箱の上側部内面とシート部材間に保冷体を収納保持する保冷体収納部を形成させたものである。
【０００５】
また、一方向にのみ開放状態のシート部材の開放部を紙箱の組立時紙箱の折曲部で閉封させたものである。
【発明の効果】
【０００６】
上述の如く本発明は、生菓子などの食品を収納する紙箱の上側部内面に一方向にのみ開放状態にシート部材の周縁を固着させて、紙箱の上側部内面とシート部材間に保冷体を収納保持する保冷体収納部を形成させたことによって、紙箱の上側部内面にスペースをとることなくコンパクトに保冷体を収納して、保冷を必要とする食品の品質を良好に保った紙箱に対する収納を可能とさせることができる。
【０００７】
また、一方向にのみ開放状態のシート部材の開放部を紙箱の組立時紙箱の折曲部で閉封させたことによって、紙箱の収納部に対し保冷体を容易に出し入れすると共に、保冷体の収納後は折り畳まれた紙箱の側壁など折曲部を利用して出し入れ口となる開放部を塞いで、極めて簡単な構成手段のもので保冷体の確実な収納保持を図ることができる。
【発明を実施するための最良の形態】
【０００８】
以下、本発明の実施例を図面に基づいて詳述する。
【実施例１】
【０００９】
図１は本発明に係る紙箱の斜視図、図２は同紙箱の蓋ケースの展開説明図であり、デコレーションケーキなどの食品を包装収納する紙箱１は、下部収納ケース２と、該収納ケース２に開閉自在に嵌合させる蓋ケース３とを備えている。
【００１０】
図２に示す如く、前記蓋ケース３は一枚の台紙４から成り、中央４角形の上蓋板５の４方側縁に各折り目６・７及び８・９を介し前後及び左右に対向させる４角形の側壁１０・１１及び１２・１３を連設させ、左右側壁１２・１３の外端縁に折り目１４・１５を介し接着片１６・１７を連設させ、前後側壁１０・１１の外端縁に折り目１８・１９を介し台形の接着片２０・２１を連設させると共に、接着片２０・２１の斜状左右外端縁に折り目２２・２３及び２４・２５を介し各係合片２６・２７及び２８・２９を連設させている。
【００１１】
また、前後側壁１０・１１の左右外端縁に折り目３０・３１及び３２・３３を介し接着片３４・３５及び３６・３７を連設させて、前後側壁１０・１１の内面に接着片３４・３５及び３６・３７の内面を接合固定させると共に、左右側壁１２・１３の前後側縁に折り目３８ａ・３８ｂ及び３９ａ３９ｂを介し接合片４０・４１及び４２・４３を連設させ、各接着片３４・３５・３６・３７と接合片４０・４２・４１・４３間に山形状の切り目４４・４５・４６・４７をそれぞれ中央に有する折り目４８・４９・５０・５１を形成させている。
【００１２】
さらに、不織布・レーヨンなど形成する４角形のシート部材５２の３辺外側端部５２ａを上蓋板５と側壁１０との内面に接着固定させるもので、上蓋板５の大部分を覆う状態にシート部材５２の３辺外側端部５２ａを接着させると共に、折り目６より若干中央寄りの側壁１０に残り１辺の外側端部を非接着の開放部５３に形成させ、上蓋板５及び側壁１０とシート部材５２中央部間に密着しない保冷体５４などの収納スペース５５を形成させて、開放部５３を収納スペース５５に対する保冷体５４などの出し入れ口に設けて、収納スペース５５に対し開放部５３を介し保冷体５４などを出し入れするように形成している。
【００１３】
また、前記シート部材５２の３辺外側端部５２ａの接着部となる凹形状両端を中央方向にＬ形状に折曲げて、開放部５３の左右両側に開放側の接着端部５２ｂを形成して、側壁１０に対するシート部材５２の開放部５３の接着強度を向上させてシート部材５２が剥れることのない確実な接着固定を図ると共に、保冷体５４の収納スペース５５への収納時には接着端部５２ｂによって保冷体５４の自然飛び出しなど困難とさせた保冷体５４の良好な収納保持を図る。
【００１４】
そして図３に示す如く、折り目１４・１５を介して接着片１６・１７を内側に折り畳んで接着剤などによって側壁１２・１３内面に接着させ、次に折り目９・３１・３３を介して右側の側壁１３、接着片３５・３７、接合片４２・４３を内側に折り畳んで上蓋板５、側壁１０・１１内面に重ね合わせ、側壁１０・１１内面に接着剤などを用いて接着片３５・３７内面を接着固定させ、次に折り目８・３０・３２を介して左側の側壁１２、接着片３４・３６、接合片４０・４１を内側に折り畳んで、側壁１３及び接合片４２・４３の折り畳み外面に側壁１２及び接合片４０・４１の内面を重ね合わせると共に、側壁１０・１１内面に接着剤などを用いて接着片３４・３６内面を接着固定させる。
【００１５】
その後、折り目１８・１９を介して接着片２０・２１と各係合片２６・２７及び２８・２９を内側に折り畳んで各接着片３４・３５及び３６・３７の折り畳み外面にこれらの内面を重ね合わせ、接着片２０・２１の内面を接着剤などを用いて各接着片３４・３５及び３６・３７の折り畳み外面に接着固定させる。
【００１６】
このようにして平坦状に折り畳みされた紙箱１は、図４に示す如く、左右の側壁１２・１３を起立させるとき、各接合片４０・４１・４２・４３によって前後の側壁１０・１１を引張って起立させ、上方を開口部とした４角立方形の蓋ケース３を形成させるもので、前後の側壁１０・１１に沿う状態に起立する各接合片４０・４１及び４２・４３の上端縁を側壁１０・１１と折り畳んだ各接合片２６〜２９との間に挿入係合させると共に、各係合片２６〜２９の左右外側端の各折曲片２６ａ・２７ａ・２８ａ・２９ａを側壁１２・１３内面に折曲接合させて、蓋ケース３の立設保持を図るように構成している。
【００１７】
上記の如く、組立てられた紙箱１にデコレーションケーキ・シュークリーム・プリンなどの生菓子を収納すると共に、アイスパック（水やジェル状の保冷剤をプラスチック製の柔軟性シートで密封包装したパック状のものを凍らせたもの）或いはドライアイス等の保冷体５４を前記開放部５３より上蓋板５内側の収納スペース５５内に挿入保持させて、紙箱１の天井部分からの保冷体５４による冷気を降下させて、冷気のシャワー効果で紙箱１内に収納する生菓子を効率良く冷やして品質を保持させる。
【００１８】
また、図５にも示す如く、上述の如き収納スペース５５に対する保冷体５４の収納保持中にあっては、上蓋板５に対し略直角状に折り畳まれた側壁１０で開放部５３が塞がれた状態となって、収納スペース５５からの保冷体５４の抜出しが阻止され、別途の規制手段など設けることなく保冷体５４の確実な収納保持を図ることができる。
【００１９】
さらに、保冷体５４を収納するシート部材５２に不織布を用いることによって、シート部材５２の表面に結露させ、生菓子などの収納食品に水を滴下させて商品価値を低下させるなどの不都合の防止が図れる。
【００２０】
また、シート部材５２で形成する収納スペース５５には保冷体５４以外にもローソク・ティッシュペーパー・合成樹脂製ケーキカッタなど各種必要商品の収納を可能とさせるものである。
【００２１】
さらに、紙箱１は図６に示す如き取手５６を有する手提紙箱１ａや、図１１に示す如きサイドオープン形紙箱１ｂなど何れの形態でも良く、また保冷体５４の収納位置も図１０に示す如き紙箱１ａの側壁部分など何れの位置でも良い。
【実施例２】
【００２２】
図６乃至図９に示すものは、手提紙箱１ａにシート部材５２による保冷体５４の収納スペース５５を形成する実施例を示すもので、１枚の台紙３ａに底板５７と、前後側壁５８・５９と、左右側壁６０・６１と、取手片６２・６３を有する前後上蓋６４・６５と、底板５７を左右側壁６０・６１に連結固定する左右接着片６６・６７と、左右側壁６０・６１の前端縁に連設する左右フラップ６８・６９と、左右側壁６０・６１の上蓋縁に連設する左右係合片７０・７１とを形成させ、紙箱１ａの立設形成時に取手片６２・６３の左右両側に形成する係合溝部７２を左右係合片７０・７１中央の切り目７３に突入係合させて紙箱１ａの立体形状の保持を図るように設けている。  
【００２３】
そして、前上蓋６４と前側壁５８或いは後上蓋６５と後側壁５９の何れか一方に実施例１同様のシート部材５２を固着させるもので、該実施例の場合前上蓋６４と前側壁５８とに４角形シート部材５２の３辺外側端部５２ａを接着固定させ、前側壁５８内面上の残り１辺の外側端部を非接着の開放部５３に形成させ、前側壁５８及び前上蓋６４とシート部材５２中央間に保冷体５４の収納スペース５５を形成させて、収納スペース５５に収納する保冷体５４の開放部５３よりの抜け出しを紙箱１ａの立設保持時には前側壁５８で阻止させる状態とさせて、保冷体５４の確実な収納保持を図るように設けている。
【００２４】
また、該構成にあって前側壁５８及び上蓋６４にシート部材５２を接着させる場合、取手片６２に対し非接着とさせるもので、取手片６２の取手孔６２ａの抜き跡となる上蓋突出部６４ａと側壁５８及び上蓋６４との３箇所に外側端部５２ａを接着させる状態とさせて、紙箱１ａの立設時において上蓋６４・６５に対し取手片６２・６３を略垂直に折り立てる際にはシート部材５２の影響を受けることなく取手片６２・６３を起立させて取手５６を形成させる。
【００２５】
また図１０に示す構成のものは、後上蓋６５と後側壁５９にシート部材５２を固着させる手提紙箱１ａの上側部にあって後側壁５９とシート部材５２間に保冷体５４を収納する収納スペース５５を形成させ、収納スペース５５の確保困難な上蓋部６４・６５が両開き構造の紙箱１ａにおいて保冷体５４を良好に紙箱１ａ内に収納可能とさせることができる。
【００２６】
さらに図１１、図１２に示す如きサイドオープン形紙箱１ｂにおいては、紙箱本体部７４に折り目７５を介し上蓋部７６を開閉自在に連接させ、上蓋部７６に隣接する本体部７４の側壁７７と上蓋部７６との内面に前述のシート部材５２の周縁を固着させると共に、上蓋部７６の内面側に収納スペース５５を、側壁７７の内面側に開放部５３を形成させて、前述実施例同様開放部５３より上蓋部７６内面側の収納スペース５５に保冷体５４を挿入して保持させる。
【００２７】
上記から明らかなように、生菓子などの食品を収納する紙箱１の上側部内面に一方向にのみ開放状態にシート部材５２の周縁を固着させて、紙箱１の上側部内面とシート部材５２間に保冷体５４を収納保持する保冷体収納部である収納スペース５５を形成させたもので、紙箱１の例えば上蓋板５など内面にスペースをとることなくコンパクトに保冷体５４を収納して、保冷を必要とする食品の品質を良好に保った紙箱１に対する収納を可能とさせることができる。
【００２８】
また、一方向にのみ開放するシート部材５２の開放部５３を紙箱１の折曲部である側壁１０・５８で閉封させたもので、紙箱１の収納スペース５５に対し保冷体５４を容易に出し入れすると共に、保冷体５４の収納後は折り畳まれた紙箱１の側壁１０・５８など折曲部を利用して出し入れ口となる開放部５３を塞いで、極めて簡単な構成手段のもので保冷体５４の確実な収納保持を図ることができる。
【図面の簡単な説明】
【００２９】
【図１】紙箱の斜視説明図。
【図２】紙箱の蓋ケースの展開説明図。
【図３】紙箱の折畳み状態の説明図。
【図４】紙箱の組立状態の説明図。
【図５】保冷体の収納状態を示す説明図。
【図６】手提紙箱の斜視説明図。
【図７】手提紙箱の展開説明図。
【図８】手提紙箱の組立状態を示す説明図。
【図９】手提紙箱の断面説明図。
【図１０】保冷体収納状態の変形説明図。
【図１１】サイドオープン形紙箱の斜視説明図。
【図１２】サイドオープン形紙箱の断面説明図。
【符号の説明】
【００３０】
１    紙箱
１０・５８  側壁（折曲部）
５２  シート部材
５４  保冷体
５５  収納スペース（収納部）
【図１】
2005053539.tif 000003
【図２】
2005053539.tif 000004
【図３】
2005053539.tif 000005
【図４】
2005053539.tif 000006
【図５】
2005053539.tif 000007
【図６】
2005053539.tif 000008
【図７】
2005053539.tif 000009
【図８】
2005053539.tif 000010
【図９】
2005053539.tif 000011
【図１０】
2005053539.tif 000012
【図１１】
2005053539.tif 000013
【図１２】
2005053539.tif 000014